(57)【要約】【課題】比較的簡単な構成で、ユーザにおいて適切な脈診を体験できる脈診シミュレータを提供する。【解決手段】血管を模擬する可撓性の棒状の血管部材２２を、その中央部分の上下移動を可能として、保持具１６に保持する。血管部材の上面側を覆って表皮を模擬するシート状の表皮部材２４を設ける。血管部材２２の中央部分の下方側に当接し、モータの回転によって上端が上下するカム部材４０を設けることで、血管部材２２を介し表皮部材２４を間欠的に押し上げる。表皮部材２４に触れることでユーザにおいて脈診を体験できる。【選択図】図１
2015070916.tif 000002
【特許請求の範囲】
【請求項１】
血管を模擬する可撓性の棒状の血管部材と、
この血管部材の中央部分の上下移動を可能として、両端部分を保持するとともに、前記中央部分の上下方向が開放されている保持部材と、
前記血管部材の中央部分の下方側に当接し、モータの回転によって上端が上下することで、血管部材を介し表皮部材を間欠的に押し上げるカム部材と、
前記血管部材の上面側を覆って配置され表皮を模擬するシート状の表皮部材と、
を有し、
前記表皮部材に触れることでユーザにおいて脈診を体験できる脈診シミュレータ。
【請求項２】
請求項１に記載の脈診シミュレータにおいて、
前記モータの回転数は、変更可能である、脈診シミュレータ。
【請求項３】
請求項１または２に記載の脈診シミュレータにおいて、
前記血管部材または前記表皮部材の一方または両方が取り替え可能である、脈診シミュレータ。
【請求項４】
請求項３に記載の脈診シミュレータにおいて、
前記血管部材として、中実の円筒材および中空の円筒材が用意され、これらが選択可能である、脈診シミュレータ。
【請求項５】
請求項１〜４のいずれか１つに記載の脈診シミュレータにおいて、
前記カム部材は、円周部に頂点を境としてその両側が非対称である突部を有する、脈診シミュレータ。
【発明の詳細な説明】
【技術分野】
【０００１】
本発明は、生体の診断の１つである脈診を体験できる脈診シミュレータに関する。
【背景技術】
【０００２】
従来より、生体の診断の１つとして脈を測る脈診が行われている。脈診は、日本、中国、韓国などで行われている東アジアの伝統医学における重要な診察の方法であるが、これを行う場合、術者の手の触覚が重要である。この感覚の教育は困難であり、かつ典型例を集めて教育することは難しい。
【先行技術文献】
【特許文献】
【０００３】
【特許文献１】特開平１１−８９８０７号公報
【特許文献２】特開平１０-８５１９４号公報
【発明の概要】
【発明が解決しようとする課題】
【０００４】
脈診の教育を行うためには、実際に脈診を行ってみることであるが、脈の深さ、脈の強さ、血管の硬度、脈の大きさなどについて個人差があり、統一的な教育が困難である。各種の診断について、標準化したいという要求もあり、脈診について標準化の要求もある。
【課題を解決するための手段】
【０００５】
本発明に係る脈診シミュレータは、血管を模擬する可撓性の棒状の血管部材と、この血管部材の中央部分の上下移動を可能として、両端部分を保持するとともに、前記中央部分の上下方向が開放されている保持部材と、前記血管部材の中央部分の下方側に当接し、モータの回転によって上端が上下することで、血管部材を介し表皮部材を間欠的に押し上げるカム部材と、前記血管部材の上面側を覆って配置され表皮を模擬するシート状の表皮部材と、を有し、前記表皮部材に触れることでユーザにおいて脈診を体験できる。
【０００６】
また、一実施形態において、前記モータの回転数は、変更可能である。
【０００７】
また、他の実施形態において、前記血管部材または前記表皮部材の一方または両方が取り替え可能である。
【０００８】
また、さらに他の実施形態において、前記血管部材として、中実の円筒材および中空の円筒材が用意され、これらが選択可能である。
【０００９】
また、さらに他の実施形態において、前記カム部材は、円周部に頂点を境としてその両側が非対称である突部を有する。
【発明の効果】
【００１０】
このように、本脈診シミュレータによれば、標準的な脈動を再現することができ、脈診の適切な教育が可能となるとともに、脈診の標準化にも寄与することができる。
【図面の簡単な説明】
【００１１】
【図１】脈診シミュレータの正面を示す図である。
【図２】脈診シミュレータの側面を示す図である。
【図３】カム部材の一例を示す図である。
【図４】カム部材の他の例を示す図である。
【図５】表皮部材の例を示す図である。
【図６】血管部材の例を示す図である。
【図７】保持具の例を示す図である。
【図８】脈診シミュレータの外観を示す図である。
【発明を実施するための形態】
【００１２】
以下、本発明の実施形態について、図面に基づいて説明する。
【００１３】
「脈診シミュレータの構成」
図１，２に、脈診シミュレータ１０の全体構成を示しており、テーブル上などに載置される基台１２を有する。この基台１２は、下端がテーブル上に載置される一対の脚１４と、この一対の脚１４の上端に位置する保持具１６を含む。
【００１４】
この例では、脚１４は、一対の板状のものとしたが、保持具１６を所定位置に維持できれば、４本脚でもその他の構造でもかまわない。保持具１６については、後述するが、全体として比較的厚い板状であって、上面の中央部に上方が開放された細長い溝１８を有している。この例では、断面四角形状としたが、半円状など他の形状でもよい。溝１８の両端部は底があるが、中央部分は底がなく、保持具１６の下面まで抜けたスリット２０になっている。
【００１５】
溝１８内には、円柱状の細長い血管部材２２が載置される。両端が溝１８の底で支持される。また、血管部材２２および保持具１６の上面を覆ってシート状の表皮部材２４が配置される。そして、押さえ部材２６によって、表皮部材２４を介し血管部材２２の両端部が溝１８の底に押さえつけられる。この押さえ部材２６は、全体として腕および手の形状をしており、手首の部分に開口２８を有し、この開口２８に保持具１６が収容される。そして、押さえ部材２６の開口２８の上端には、内側に突出する突部３０が形成されており、この突部３０が表皮部材２４の両端部を押さえつける。開口２８の大きさを保持具１６の大きさに合致する大きさとしておくことで、押さえ部材２６を上方から下方に移動させて、保持具１６の周囲と摩擦により固定することができる。なお、バンドなどによって押さえ部材２６を保持具１６に固定したり、他の部材によって押さえ部材２６を固定してもよい。
【００１６】
図２においては、脚１４と同様に下端がテーブルなどに載置される固定部材５０の上部が押さえ部材２６にボルト締めにより固定されて、押さえ部材２６が固定される。
【００１７】
開口２８の下部は保持具１６の大きさに応じた大きさにするが、下方に向かって開口２８が大きくなってもよい。また、突部３０は少なくとも溝１８の両端を押さえるように形成するが、表皮部材２４の周囲を押さえるようにすることも好適である。この例では、図２における左側では、押さえ部材２６の上端が保持具１６の表面とほぼ同じ高さの水平面となっており、右側は、押さえ部材２６の端面が保持具１６の表面から立ち上がる垂直面となっている。ユーザは、左側から手を表皮部材２４に載せて脈診を行う。
【００１８】
また、突部３０は、開口２８に向けてなだらかに傾斜して、手首に近い形状とすることが好適である。
【００１９】
そして、スリット２０内には、カム部材４０の上部が挿入されている。図１の例では、円板が偏心してモータ４２の回転軸４４に取り付けられている。従って、モータ４２の回転によって、カム部材４０が回転し、その上端位置は１回転を周期として上下する。すなわち、円板のカム部材４０は、実線で示した位置が最上位置となり、破線で示した位置で上端が最下位置となる。
【００２０】
このようなカム部材４０の移動に応じて、血管部材２２が上下し、それに応じて表皮部材２４が押し上げられる。実際の血管においては、血管が血流に応じて広がるのであるが、本実施例では血管部材２２の上下動として、これを模擬する。これによって、簡単な構造で、実際の脈動と似た脈診の模擬ができる。
【００２１】
また、モータ４２は、コントローラ４６によってその回転が制御される。例えば、回転軸４４の回転が６０ｒｐｍであれば、１秒間６０の脈数となる。モータ４２は所定の減速機を有して、回転軸４４の回転数を適切な値に機械的に調整することが好適である。コントローラ４６は、出力電圧を変更してモータ４２の回転数を制御するスライダックのようなものでよいが、デジタル的にコントロールするものでもよい。
【００２２】
「カム部材の構成」
ここで、図１，２では、カム部材４０を円形としたが、楕円形や、円周部の所定部分に突出部を設けたものとすることも好適である。
【００２３】
図３は、一例の構成を示しており、３箇所の突出部４０ａを有している。この場合には、１回転が３回の脈拍数に対応する。また、この例では、カム部材４０は反時計回りに回転し、突出部４０ａは、回転に伴い徐々に半径方向の距離が増加し、頂点を過ぎると比較的早く減少する。そして、円形の周面に戻る際には傾きが急に変化する。従って、この際に若干のショックがある。このような形状とすることで、実際の脈拍に近い間隔を得ることが可能になる。また、突出部４０ａの半径方向の距離が大きければ、それだけ大きな脈動となる。このように、突出部４０ａと回転方向において頂部を境として非対称の形状にすることによって、脈動の模擬がより適切に行える。
【００２４】
また、図４は、他の一例であり、突出部４０ａの周面において一部凹みがある。このような形状とすることで、他の形式の脈動を得ることができる。また、この例では、１回転が２回の脈拍に対応する。
【００２５】
脈拍について各種の検出を行い、脈動についてのデータを得、これに基づいて、カム部材４０の外周形状を決定することで、実際の脈動に近い動作を得ることが可能となる。特に、カム部材４０の周面形状において、傾きの変化が大きな滑らかでない不連続部分(例えば、図３における突出部４０ａの終端部分と円周面との接続部分）を設けることによって、脈動のより適切な模擬が可能となる。
【００２６】
このように、カム部材４０の形状を変更することで、脈動の波形、振幅などを変更することができ、任意の脈動を模擬することができる。そこで、カム部材４０を複数用意し、適宜取り替えることで各種の脈動を模擬することができる。また、カム部材４０を各種脈動の検出結果（波形）に基づいて形成することで、より適切なカム部材４０を形成することができる。
【００２７】
「表皮部材」
図５には、皮膚・皮下組織に相当する表皮部材２４を示してある。このように、表皮部材２４は、例えば長方形のシート材で形成される。厚さ０．１〜０．５ｍｍ程度のプラスチックシート材が好適であり、例えば軟質ウレタン材などが用いられる。材質や、厚みを変更することで、血管部材２２の移動に伴う移動状態が変化する。そこで、表皮部材２４についても複数種類用意し適宜交換することが好ましい。表皮部材２４を複数用意し、適宜取り替えることで各種の脈動を模擬することができる。
【００２８】
「血管部材」
血管部材２２には、例えば発泡ゴムチューブ、シリコンチューブ、軟質ウレタンチューブなどが用いられる。発泡ゴムチューブ、シリコンチューブ、軟質ウレタンチューブの順で軟質ウレタンチューブが最も柔らかい。管径を複数種類用意することで、血管の細い、太いに対応することが可能である。図６の例では、血管部材２２を中実の円筒材としている。本実施形態においては、血管部材２２に液体を流通する必要がなく、中実の円筒材を利用することができる。血管部材２２をいろいろな材質、パイプ、中実など、複数用意し、適宜取り替えることで各種の脈動を模擬することができる。
【００２９】
血管部材２２と表皮部材２４を別部材としており、ユーザは血管部材２２の動きを表皮部材２４を介し感じ取ることができ、実際の脈診に近い感覚を得ることができる。また、これらを独立して取り替えることができる。
【００３０】
「保持具」
図７には、保持具１６の概略構成が示してある。全体として直方体であり、表面に浅い溝１８が形成され、その中央部下方にスリット２０が設けられている。このスリット２０の下方からカム部材４０の上部が挿入される。保持具１６の材質は何でもよいが、例えばアクリル樹脂が採用される。
【００３１】
「外観」
図８には、脈診シミュレータの全体外観を示す。このように、押さえ部材２６は、腕および手の形状とし、手首の部分に、血管部材２２、表皮部材２４をセットした保持具１６が配置される。モータ４２はモータケース４８に収容され、別体として形成されたコントローラ４６とコードで接続されている。コントローラ４６には、商用電源に接続するプラグを有する電源コードが接続される。コントローラ４６のつまみを調整することによって、コントローラ４６からモータ４２への電力供給が制御されて、モータ４２の回転数が制御される。
【００３２】
「脈診シミュレータの使用」
本脈診シミュレータを使用する場合には、まず所望のカム部材４０を回転軸４４に取り付ける。この取付については、各種手段が適宜選択可能である。例えば、回転軸４４にキーを設けておき、カム部材４０を回転方向において固定することが好適である。また、カム部材４０の上部をスリット２０に差し込んだ後、カム部材４０の前面側からボルトなどで締め付ける構成とすれば、カム部材４０の交換によって、基台１２と回転軸４４との位置関係が変化しないので、その後の位置決めが容易となる。なお、基台１２をカム部材４０より後に、設置してもよい。
【００３３】
次に、保持具１６の溝１８に、選択した血管部材２２を配置し、その上に選択した表皮部材２４を被せる。最後に、押さえ部材２６を上方から被せ、ボルト締めなどで固定する。
【００３４】
そして、コントローラ４６により、モータ４２への給電を制御して、カム部材４０を所望の回転数で回転させる。これによって、カム部材４０により、血管部材２２が周期的に押し上げられる。
【００３５】
この状態で、ユーザが表皮部材２４の上に指を置き、指で押さえて脈を探る。これによって、適切な位置であれば、血管部材２２の動きが感じられ、脈診が模擬される。
【００３６】
このように、本脈診シミュレータによれば、脈の深さ、脈の強さ、血管の硬度、脈の大きさなど典型的なひとつの所見を、脈動を表現するカム部材４０、血管部材２２、表皮部材２４などを取り替えることにより表現することができる。
【００３７】
このように、１つの装置で、複数の所見を再現することが可能である。また、鍼灸治療においては、脈診は重要な診断所見である。このため、脈診は世界中で行われようとしている。従って、脈診における標準化が重要となる。本脈診シミュレータによれば、標準的な脈診の訓練が可能であり、これを脈診における国際標準とすることが可能である。近代医学でも橈骨動脈を穿刺するため診察を行っており、そのためのシミュレータも存在している。しかし、本器のように繊細な触覚の再現を行うことで、近代医学における頸動脈拍動診療に関するシミュレータにも応用することが可能と考えられる。
【符号の説明】
【００３８】
１０  脈診シミュレータ、１２  基台、１４  脚、１６  保持具、１８  溝、２０  スリット、２２  血管部材、２４  表皮部材、２６  押さえ部材、２８  開口、３０  突部、４０  カム部材、４０ａ  突出部、４２  モータ、４４  回転軸、４６  コントローラ、４８  モータケース、５０  固定部材。
【図１】
2015070916.tif 000003
【図２】
2015070916.tif 000004
【図３】
2015070916.tif 000005
【図４】
2015070916.tif 000006
【図５】
2015070916.tif 000007
【図６】
2015070916.tif 000008
【図７】
2015070916.tif 000009
【図８】
2015070916.tif 000010